(57)【要約】【課題】電気部品の配線処理の容易化を図る。【解決手段】周辺飾り構造体２に取り付けられた板状構造体４の裏側から見た右側部から裏側に引き出された配線７１が、遊技盤１の裏側から、複数の肉抜き空間部１４１と複数の溝１４４とから構成された配線通路に、周辺飾り構造体２の裏面から裏側に突出することなく、取込まれる。配線７１の配線コネクタ７３が、板状構造体４の裏側から見た右側の配線５３と集合樋１２５の裏面との間を通って、コネクタ１３４に接続される。板状構造体４の裏側から見た左側部から裏側に引き出された配線７１が、遊技盤１の裏側から、周辺飾り構造体２の板状構造体収納部１４０を囲むリブ１４２との間の配線通路としての隙間１５２に、周辺飾り構造体２の裏面から裏側に突出することなく、取込まれる。【選択図】図１
2005198955.tif 000002
【特許請求の範囲】
【請求項１】
非遊技領域を形成する遮光性の有る合成樹脂からなる周辺飾り構造体と、遊技領域を形成する光透過性の有る合成樹脂からなる板状構造体と、板状構造体に設けられた電気部品と、周辺飾り構造体の裏面から内部に窪む形態に設けられて電気部品の裏側に接続された配線を通す配線通路とを備えたことを特徴とするパチンコ機の遊技盤。
【請求項２】
周辺飾り構造体が裏面から内部に窪む複数の肉抜き空間部と複数の肉抜き空間部相互を囲むリブとリブの裏面から内部に窪む溝とを備え、配線通路が肉抜き空間部と溝とにより形成されたことを特徴とする請求項１記載のパチンコ機の遊技盤。
【請求項３】
リブが遊技盤を遊技機枠に取り付けられる場合の抗力体として形成され、この抗力体としてのリブは配線通路の溝を持たないことを特徴とする請求項２記載のパチンコ機の遊技盤。
【発明の詳細な説明】
【技術分野】
【０００１】
本発明は、遊技領域を形成する光透過性を有する合成樹脂からなる板状構造体に設けられた電気部品の配線処理が容易なパチンコ機の遊技盤に関する。
【背景技術】
【０００２】
パチンコ機やスロットマシンなどの遊技機には、遊技機枠の下部に液晶表示器を使用したプロジェクターと呼ばれる投影機を配置し、遊技機枠の上部に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写し、スクリーンに映し出された画像がスクリーンの前側に配置した光透過性を有する合成樹脂からなる遊技盤を通して遊技者に見せる構造のものが知られている。しかしながら、遊技盤に球検出器や表示灯などのような電気部品を取り付けた場合、電気部品の裏側に接続された配線が遊技盤の前側から見えてしまうという欠点がある。
【特許文献１】特開平８−９８９２９号公報
【発明の開示】
【発明が解決しようとする課題】
【０００３】
発明が解決しようとする問題点は、光透過性を有する合成樹脂で遊技盤を形成した場合、電気部品の配線処理が面倒であるという点である。
【課題を解決するための手段】
【０００４】
本発明に係るパチンコ機の遊技盤は、非遊技領域を形成する遮光性の有る合成樹脂からなる周辺飾り構造体と、遊技領域を形成する光透過性の有る合成樹脂からなる板状構造体と、板状構造体に設けられた電気部品と、周辺飾り構造体の裏面から内部に窪む形態に設けられて電気部品の裏側に接続された配線を通す配線通路とを備えたことを最も主要な特徴とする。周辺飾り構造体が裏面から内部に窪む複数の肉抜き空間部と複数の肉抜き空間部相互を囲むリブとリブの裏面から内部に窪む溝とを備え、配線通路が肉抜き空間部と溝とにより形成されたり、リブが遊技盤を遊技機枠に取り付けられる場合の抗力体として形成され、この抗力体としてのリブは配線通路の溝を持たなかったりすることも特徴とする。
【発明の効果】
【０００５】
本発明に係るパチンコ機の遊技盤は、非遊技領域を形成する遮光性の有る合成樹脂からなる周辺飾り構造体と、遊技領域を形成する光透過性の有る合成樹脂からなる板状構造体とを組み合わせた状態において、板状構造体に設けられた電気部品の裏側に接続された配線が、周辺飾り構造体の裏面から内部に窪む形態に設けられた配線通路に挿入されることによって、配線が遊技盤の前側から見えることなく、電気部品の配線処理を容易に行うことができるという利点がある。配線通路が肉抜き空間部と溝とにより形成されれば、周辺飾り構造体の軽量と剛性との両立も図ることができるという利点がある。遊技盤を遊技機枠に取り付けられる場合の抗力体として形成されたリブが配線通路の溝を持たなければ、遊技盤を遊技機枠に取り付ける場合の剛性が高くなるという利点がある。
【発明を実施するための最良の形態】
【０００６】
図１−図１１は、一実施形態である。図１は、部品の取り付けられた遊技盤１を裏側から示す。図２は、周辺飾り構造体２と板状構造体４とを分解して前側から示す。図３は、板状構造体４を裏側から示す。図４は、一般入賞部品２２を裏側から示す。図５は、作動入賞部品２３を裏側から示す。図６は、始動入賞部品２４を裏側から示す。図７は、可変入賞部品２５を裏側から示す。図８は、部品の取り付けられた板状構造体４を裏側から示す。図９は、周辺飾り構造体２を裏側から示す。図１０は、パチンコ機の遊技機枠１７１に遊技盤１を取り付ける場合を前側から分解して示す。図１１は、パチンコ機の遊技盤１と映写装置１６０と遊技機枠１７１との関係を示す。
【０００７】
図２を参照し、パチンコ機における遊技盤１の前側の構造について説明する。遊技盤１は、非遊技領域を形成する遮光性の有る有色な合成樹脂からなる方形な周辺飾り構造体２と、遊技領域３を形成する光透過性を有する合成樹脂からなる板状構造体４とを備える。周辺飾り構造体２は、盤側取付部５と丸形開口部６と発射通路７と外バンド８と内バンド９とアウト口周縁部１０と周辺飾り部１１と戻り球防止体１２と球反発体１３と証紙台１４および不正防止バンド１５を備える。盤側取付部５は、遊技盤１を図１０に示す遊技機枠１７１に固定するためのものであって、周辺飾り構造体２と別材質の合成樹脂からロック挿入孔１６を備える形態に形成され、周辺飾り構造体２の右側に位置する上下隅部に、周辺飾り構造体２の裏側から図外のタッピングスクリューのような止ねじで取り付けられる。
【０００８】
丸形開口部６と内バンド９およびアウト口周縁部１０は、周辺飾り構造体２を合成樹脂で成形する場合に、周辺飾り構造体２と一緒に形成される。丸形開口部６は、周辺飾り構造体２の中央に、前後方向に貫通する。発射通路７は、丸形開口部６の左側部に沿う縦長な形状である。外バンド８は、ステンレスのような金属からなる帯板状であって、発射通路７の左側部から丸形開口部６の上部弧状縁部に沿う上方に凸となる弧状となって、周辺飾り構造体２の前面から前側に突出するように、周辺飾り構造体２に取り付けられる。内バンド９は、発射通路７の右側部から丸形開口部６の下部弧状縁部に沿う、下方に凸となる弧状となって、周辺飾り構造体２の前面から前側に突出する。アウト口周縁部１０は、内バンド９における下部弧状縁部の最下部において、アウト口１７を囲むように、内バンド９から丸形開口部６の内側に突出した格好に連接される。アウト口１７は、球を遊技盤１の前側から裏側に排出する孔である。
【０００９】
周辺飾り部１１は、内バンド９から外側に連接された意匠部である。証紙台１４は、周辺飾り構造体２と別材質の合成樹脂から形成され、周辺飾り構造体２の右側の下部に、図外の軸で、前後方向に開閉可能に取り付けられる。証紙台１４が、周辺飾り構造体２との連結部である図外の軸を開閉中心として前方に開かれることによって、下部の盤側取付部５が、周辺飾り構造体２の前側から見える格好となる。そして、証紙台１４が、上記軸を開閉中心として後方に閉じられ、証紙台１４が、周辺飾り構造体２の証紙台受部１８で受け止められることによって、盤側取付部５が、証紙台１４で覆われて周辺飾り構造体２の前側から見えなくなる。証紙台受部１８は、周辺飾り構造体２を合成樹脂で成形する場合に、周辺飾り構造体２と一緒に形成される。閉じられた証紙台１４の前面には、図外の証紙が、貼り付けられる。証紙は、遊技盤１が、図外の組合の検査に合格して販売の認可を受けたことを証明するためのものである。
【００１０】
戻り球防止弁１２は、外バンド８よりも厚さの薄い薄帯板状のステンレスまたは弾性部材により形成される板ばねである。戻り球防止弁１２の一端部が、周辺飾り構造体２における内バンド９の発射通路７の球出口に位置する端部に取り付けられた場合、戻り球防止弁１２は、内バンド９から外バンド８の方向に位置する先端部に行くに従って、発射通路７の出口から遊技領域３の側に徐々に傾斜する格好になる。戻り球防止弁１２の先端は、外バンド８の遊技領域３の側に位置する内側面に接触するかまたは接触する程度に近づいていればよい。この接触する程度は、戻り球防止弁１２の先端と外バンド８の内側面との間に１個の球の直径よりも小さい隙間が存在し、遊技領域３から外バンド８の内側面に沿って発射通路７の側に逆行する球が、上記戻り球防止弁１２の先端と外バンド８の内側面との間に引っかかることもなく通過することもできない範囲であればよい。
【００１１】
発射機構１８４（図１０参照）から発射された球が、発射通路７から戻り球防止弁１２を押し開けることによって、戻り球防止弁１２の先端部が、外バンド８から離れるように、戻り球防止弁１２の内バンド９に取り付けられた一端部を基準として、戻り球防止弁１２が、全体的に遊技領域３の側に弾性変形する。そして、戻り球防止弁１２を押し開けた球が、戻り球防止弁１２から遊技領域３の側に離れることによって、戻り球防止弁１２の先端部が、外バンド８に近づくように、戻り球防止弁１２が、全体的に図２に示す形態に復元する。このように戻り球防止弁１２が、復元した形態において、発射通路７から遊技領域３に発射された球が、遊技領域３から発射通路７の側に逆行してきた場合、当該球が、戻り球防止弁１２に衝突し、戻り球防止弁１２が、当該球を遊技領域３から発射通路７に取り込まれることを防止して遊技領域３に跳ね返す。
【００１２】
球反発体１３は、ゴム又は合成樹脂からなる衝撃吸収体であって、周辺飾り部１１における丸形開口部６と連接される端部に、周辺飾り構造体２の裏面から取り付けられることによって、球反発体１３の先端部が丸形開口部６の内部に突出する。そして、発射通路７から外バンド８に沿って発射された球が、丸形開口部６の内部に突出した球反発体１３の先端部に衝突すると、球反発体１３が衝突した球を丸形開口部６で囲まれた遊技領域３の中央の方向に跳ね返す。不正防止バンド１５は、周辺飾り構造体２と別材質の合成樹脂から形成され、周辺飾り構造体２の下部に、左右方向に延長した形状に取り付けられる。そして、図１０に示すパネル枠１８９が、閉じられることによって、不正防止バンド１５が、図１０に示すガラスからなる前面パネル１９０の内側面（遊技盤１の側に位置する面）に接触し、遊技者が、ピアノ線や合成樹脂製薄帯板などの不正操作部材を遊技領域３よりも下方の図１０に示す遊技機枠１７１の前側から遊技機枠１７１の前面構成部品間の隙間を経由して遊技領域３に挿入しようとした場合、前面パネル１９０の内側面に接触した不正防止バンド１５が、不正操作部材を受け止めて不正操作部材の遊技領域３への侵入を防止する。
【００１３】
板状構造体４は、周辺飾り構造体２の発射通路７を除く丸形開口部６で囲まれる遊技領域３を形成する、無色の光透過性を有する合成樹脂からなるものである。板状構造体４の前面には、センター飾り２１、一般入賞部品２２、作動入賞部品２３、始動入賞部品２４、可変入賞部品２５、遊技釘２６、風車２９などの遊技部品が、遊技領域３に位置して、取り付けられる。一般入賞部品２２は、球を遊技領域３から取り込み、当該取り込んだ球を遊技領域３の裏側に排出する、取込形である。一般入賞部品２２の内部には図４に示す一般入賞球検出器５０を備える。左右の一般入賞部品２２には、同じ符号を付したが、左の一般入賞部品２２の形と右の一般入賞部品２２の形とは、左右対称である。作動入賞部品２３は、球を遊技領域３から取り込み、当該取り込んだ球を遊技領域３の裏側に取り込むことなく、遊技領域３に排出する、通過形である。作動入賞部品２３の内部には、図５に示す作動入賞球検出器６７を備える。左右の作動入賞部品２３には、同じ符号を付したが、左の作動入賞部品２３の形と右の作動入賞部品２３の形とは、左右対称である。始動入賞部品２４は、一対の羽根２７の下部を開閉中心とし、一対の羽根２７を図外の始動駆動源で左右方向に開閉する電動チューリップと呼ばれる構造である。
【００１４】
始動入賞部品２４は、球を遊技領域３から取り込み、当該取り込んだ球を遊技領域３の裏側に排出する、取込形である。始動入賞部品２４の左右一対の羽根２７は、閉じた場合でも、球を受け入れ得る形態、受け入れない形態のいずれでも適用できる。始動入賞部品２４の内部には、図６に示す始動入賞球検出器８５を備える。可変入賞部品２５は、横長な長方形状の開閉体２８の下部を開閉中心とし、開閉体２８を図外の可変駆動源で前後方向に開閉するアタッカーまたは大入賞口と呼ばれる構造である。可変入賞部品２５の開閉体２８で閉じたり開かれたりする空洞形状の球受入部の内部には、カウントスイッチと呼ばれる図７に示す普通入賞球検出器と、Ｖスイッチと呼ばれる図７に示す特定入賞球検出器１０６とを備える。可変入賞部品２５の球受入部に取り込まれた球は、普通入賞球検出器または特定入賞球検出器を通過した後に遊技盤１の裏側に排出される。よって、可変入賞部品２５は、取込形である。風車２９は、頭付釘のような軸３０が板状構造体４の遊技領域３から内部に打ち込まれることによって、板状構造体４に、回転可能に取り付けられる。周辺飾り構造体２の下部には、アウト球逃部３１が、可変入賞部品２５の真下の位置に、周辺飾り構造体２の下端面から内部に窪むとともに前後方向に貫通する窪み形状で、設けられる。そして、センター飾り２１と一般入賞部品２２と作動入賞部品２３と始動入賞部品２４と可変入賞部品２５および遊技釘２６を備えた板状構造体４が、周辺飾り構造体２の裏側から周辺飾り構造体２に取り付けられることによって、遊技盤１が図１０に示す形態に形成される。
【００１５】
図３を参照し、板状構造体４の裏側からの構造について説明する。板状構造体４には、一側部の上下にロック逃部３２を備え、左右側部の上下方向中間に作動入賞逃部３３を備え、四隅部に板状側取付部３４を備え、中央部にセンター飾り取付孔３５を備え、センター飾り取付孔３５の真下に始動入賞逃部３６を備え、始動入賞逃部３６の真下に可変入賞逃部３７を備え、始動入賞逃部３６と可変入賞逃部３７との双方の左右に一般入賞逃部３８を備え、可変入賞逃部３７の真下にアウト球逃部３１を備える。ロック逃部３２は、板状構造体４の側面から内側に窪むとともに板状構造体４の前後方向に開口する切り欠きである。板状側取付部３４とセンター飾り取付孔３５と始動入賞逃部３６と可変入賞逃部３７および一般入賞逃部３８は、板状構造体４の前後方向に貫通する孔である。アウト球逃部３１は、板状構造体４の下面から内側に窪むとともに板状構造体４の前後方向に開口する切り欠きである。板状側取付部３４は、板状構造体４を図２に示す周辺飾り構造体２に図外のタッピングスクリューのような止ねじで取り付けるための部分である。
【００１６】
図４を参照し、左の一般入賞部品２２を例とし、一般入賞部品２２の裏側からの構造について説明する。一般入賞部品２２は、取付基板４１を備える。取付基板４１は、図３に示す一般入賞逃部３８を塞ぐ大きさであって、一般入賞部品２２を図３に示す板状構造体４に取り付けるための部分である。取付基板４１の裏面は、板状構造体４における一般入賞逃部３８の周囲の前面に接触して重ね合わされる。取付基板４１の上下部には、部品側取付足４２が、取付基板４１の裏面から裏側に突出する形態に設けられる。部品側取付足４２の中央部には、取付孔４３が、取付基板４１の前面と部品側取付足４２の裏面とに貫通する形態に形成される。取付基板４１の上下方向中間部には、球検出収納部４４が、取付基板４１の裏面と取付基板４１の前面から前側にポケット形状に突出する入賞孔部４５の内部に形成された入賞孔４６とに貫通する形態に形成される。取付基板４１の裏面における球検出収納部４４の周りには、検出器係合部４７が、取付基板４１の裏面から裏側に突出する。検出器係合部４７の先端にはフック４８を備える。取付基板４１の裏面における球検出収納部４４の真下には、入賞孔部４５の入賞孔４６から球を取付基板４１の裏側に排出する球出口部４９が、取付基板４１の裏面から裏側に突出する。一般入賞球検出器５０は、一端部に球検出孔５１を上下方向に貫通する形態に備え、他端部に検出器コネクタ５２を備える。
【００１７】
そして、球検出孔５１が、入賞孔部４５の入賞孔４６と同軸となるように、一般入賞球検出器５０が、取付基板４１の裏側から球検出収納部４４に収納されると、検出器係合部４７のフック４８が、一般入賞球検出器５０の他端部における一隅部を裏側から抱え持つように、一般入賞球検出器５０に係合する。これによって、一般入賞球検出器５０が、取付基板４１に取り付けられる。この状態において、一般入賞球検出器５０の検出器コネクタ５２は、一般入賞部品２２の裏側に突出した形態となる。配線５３は、両端に配線コネクタ５４；５５が結線された形態である。そして、一方の配線コネクタ５４が、一般入賞部品２２の裏側から検出器コネクタ５２に接続される。これによって、配線５３が、一般入賞部品２２の裏側に接続された形態となる。
【００１８】
図５を参照し、左の作動入賞部品２３を例とし、作動入賞部品２３の裏側からの構造について説明する。作動入賞部品２３は、取付基板５６および入賞孔部体５７を備える。取付基板５６は、図３に示す作動入賞逃部３３を塞ぐ大きさであって、作動入賞部品２３を図３に示す板状構造体４に取り付けるための部分である。取付基板５６の裏面は、板状構造体４における作動入賞逃部３３の周囲の前面に接触して重ね合わされる。取付基板５６の左右方向の一側部には、部品側取付足５８が、取付基板５６の裏面から裏側に突出する形態に設けられる。部品側取付足５８の中央部には、取付孔５９が、取付基板５６の前面と部品側取付足５８の裏面とに貫通する形態に形成される。取付基板５６の左右方向の他側部には、配線孔６０が、取付基板５６の前後方向に貫通する形態に設けられる。取付基板５６の部品側取付足５８と配線孔６０との間における中間部には、入賞孔部取付孔６１が、取付基板５６の前後方向に貫通する形態に設けられる。入賞孔部体５７は、前壁６２の左右側部から後方に突出した相対峙する一対の側壁６３を備える。前壁６２と一対の側壁６３とで囲まれた裏側および上下方向に開口した空間は、入賞孔部体５７が取付基板５６の前面に取り付けられた場合、球の取込可能な入賞孔６４となる。一対の側壁６３の裏面には、ねじ取付孔６５が、一対の側壁６３の裏面から内部に窪む行き止まり孔の形態に個別に設けられる。入賞孔部体５７には、球検出収納部６６が、前壁６２の内面と一対の側壁６３の内面とにわたる溝状に形成される。作動入賞球検出器６７は、一端部に球検出孔６８を上下方向に貫通する形態に備え、他端部に検出器コネクタ６９を備える。
【００１９】
そして、球検出孔６８が、入賞孔６４と同軸となるように、作動入賞球検出器６７が、入賞孔部体５７の裏側から球検出収納部６６に収納された状態において、入賞孔部体５７における一対の側壁６３の裏面が、取付基板５６における入賞孔部取付孔６１の周りの前面に接触し、タッピングスクリューのような止ねじ７０が、入賞孔部取付孔６１からねじ取付孔６５に個別に締結される。これによって、作動入賞部品２３が形成される。この形成された作動入賞部品２３にあっては、作動入賞球検出器６７の検出器コネクタ６９が配線孔６０の前側に配置された形態である。配線７１は、両端に配線コネクタ７２；７３が結線された形態である。そして、一方の配線コネクタ７２が、作動入賞部品２３の裏側から配線孔６０を経由して検出器コネクタ６９に接続される。これによって、配線７１が、作動入賞部品２３の裏側に接続された形態となる。
【００２０】
図６を参照し、始動入賞部品２４の裏側からの構造について説明する。始動入賞部品２４は、取付基板７６および始動駆動機構７７を備える。取付基板７６は、図３に示す始動入賞逃部３６を塞ぐ大きさであって、始動入賞部品２４を図３に示す板状構造体４に取り付けるための部分である。取付基板７６の裏面は、板状構造体４における始動入賞逃部３６の周囲の前面に接触して重ね合わされる。取付基板７６の左右側部の上下方向中間部には、部品側取付足７８が、取付基板７６の裏面から裏側に突出する形態に設けられる。部品側取付足７８の中央部には、取付孔７９が、取付基板７６の前面と部品側取付足７８の裏面とに貫通する形態に形成される。始動駆動機構７７は、図２に示す羽根２７を駆動する機構であって、電磁ソレノイドのような始動駆動源と、始動駆動源におけるプランジャのような出力体と羽根２７とを連結する連結機構とを備える。始動駆動機構７７は、左右の部品側取付足７８の間に位置し、取付基板７６の裏面に設けられる。取付基板７６における始動駆動機構７７の真下には、球検出収納部８０が、取付基板７６の裏面と取付基板７６の前面から前側にポケット形状に突出する入賞孔部８１の内部に形成された始動入賞孔とに貫通する形態に形成される。
【００２１】
取付基板７６の裏面における球検出収納部８０の周りには、検出器係合部８２が、取付基板７６の裏面から裏側に突出する。検出器係合部８２の先端にはフック８３を備える。取付基板７６の裏面における球検出収納部８０の真下には、入賞孔部８１の入賞孔から球を取付基板７６の裏側に排出する球出口部８４が、取付基板７６の裏面から裏側に突出する。始動入賞球検出器８５は、一端部に球検出孔８６を上下方向に貫通する形態に備え、他端部に検出器コネクタ８７を備える。そして、球検出孔８６が、入賞孔部８１の入賞孔と同軸となるように、始動入賞球検出器８５が、取付基板７６の裏側から球検出収納部８０に収納されると、検出器係合部８２のフック８３が、始動入賞球検出器８５の他端部における一隅部を裏側から抱え持つように、始動入賞球検出器８５に係合する。これによって、始動入賞球検出器８５が、取付基板７６に取り付けられる。
【００２２】
この状態において、始動入賞球検出器８５の検出器コネクタ８７は、始動入賞部品２４の裏側に突出した形態となる。配線８８は、両端に配線コネクタ８９；９０が結線された形態である。そして、一方の配線コネクタ８９が、始動入賞部品２４の裏側から検出器コネクタ８７に接続される。これによって、配線８８が、始動入賞部品２４の裏側に接続された形態となる。取付基板７６の前面には、一対の羽根２７が、入賞孔部８１よりも上方に位置し、図外の軸で個別に左右方向に開閉可能に取り付けられる。取付基板７６の前面には、門形の保護体９１Ｂが、羽根２７よりも上方に位置し、設けられる。保護体９１Ｂは、取付基板７６の前面との間に、貫通孔９１Ｃを有する。貫通孔９１Ｃの孔径は、１個の球が上下方向に通過し得るものの、２個の球が横に並んで通過できない、大きさである。始動駆動機構７７の始動駆動源から延設された配線９１には、配線コネクタ９１Ａが結線される。
【００２３】
図７を参照し、可変入賞部品２５の裏側からの構造について説明する。可変入賞部品２５は、取付基板９２と入賞球取込部９３および可変駆動機構９４を備える。取付基板９２は、図３に示す可変入賞逃部３７を塞ぐ大きさであって、可変入賞部品２５を図３に示す板状構造体４に取り付けるための部分である。取付基板９２の裏面は、板状構造体４における可変入賞逃部３７の周囲の前面に接触して重ね合わされる。取付基板９２の左右の上部には、部品側取付足９５が、取付基板９２の裏面から裏側に突出する形態に設けられる。部品側取付足９５の中央部には、取付孔９６が、取付基板９２の前面と部品側取付足９５の裏面とに貫通する形態に形成される。入賞球取込部９３は、取付基板９２の中央に位置し、取付基板９２の裏面から裏側に突出する箱形に設けられる。入賞球取込部９３の前面は、開閉体２８で開閉される開口になっている。可変駆動機構９４は、開閉体２８を駆動する機構であって、電磁ソレノイドのような可変駆動源と、可変駆動源におけるプランジャのような出力体と開閉体２８とを連結する連結機構とを備える。可変駆動機構９４は、入賞球取込部９３の一側に位置し、取付基板９２の裏面に設けられる。
【００２４】
入賞球取込部９３の下部には、球検出収納部９７；９８が、部品側取付足９５の裏面と内部とに貫通するとともに左右に並んだ形態に、形成される。取付基板９２の裏面における球検出収納部９７；９８の周りには、検出器係合部９９；１００が、入賞球取込部９３の裏面から裏側に個別に突出する。検出器係合部９９；１００の先端にはフック１０１；１０２を個別に備える。入賞球取込部９３の底部には、入賞球取込部９３から球を下方に排出する図外の複数の球出口部が、個別に形成される。特別入賞球検出器１０３は、一端部に球検出孔１０４を上下方向に貫通する形態に備え、他端部に検出器コネクタ１０５を備える。球検出孔１０４が、複数の球出口部の一方と同軸となるように、特別入賞球検出器１０３が、球検出収納部９７の裏側から球検出収納部９７に収納されると、検出器係合部９９のフック１０１が、特別入賞球検出器１０３の他端部における一隅部を裏側から抱え持つように、特別入賞球検出器１０３に係合する。これによって、特別入賞球検出器１０３が、入賞球取込部９３に取り付けられる。この状態において、特別入賞球検出器１０３の検出器コネクタ１０５は、可変入賞部品２５の裏面に突出した形態となる。配線１０９は、両端に配線コネクタ１１０；１１１が結線された形態である。そして、一方の配線コネクタ１１０が、可変入賞部品２５の裏側から検出器コネクタ１０５に接続される。
【００２５】
普通入賞球検出器１０６は、一端部に球検出孔１０７を上下方向に貫通する形態に備え、他端部に検出器コネクタ１０８を備える。球検出孔１０７が、複数の球出口部の他方と同軸となるように、普通入賞球検出器１０６が、球検出収納部９８の裏側から球検出収納部９８に収納されると、検出器係合部１００のフック１０２が普通入賞球検出器１０６の他端部における一隅部を裏側から抱え持つように、普通入賞球検出器１０６に係合する。これによって、普通入賞球検出器１０６が、入賞球取込部９３に取り付けられる。この状態において、普通入賞球検出器１０６の検出器コネクタ１０８は、可変入賞部品２５の裏面に突出した形態となる。配線１１２は、両端に配線コネクタ１１３；１１４が結線された形態である。そして、一方の配線コネクタ１１３が、可変入賞部品２５の裏側から検出器コネクタ１０８に接続される。これによって、配線１０９；１１２が、可変入賞部品２５の裏側に接続された形態となる。
【００２６】
入賞球取込部９３の裏面には、集合端子板１１５を備える。集合端子板１１５は、複数のコネクタ１１６；１１７；１１８を集合端子板１１５の裏面に実装した形態である。コネクタ１１６には、配線１０９の他方の配線コネクタ１１１が接続される。コネクタ１１７には、配線１１２の他方の配線コネクタ１１４が接続される。コネクタ１１８には、可変駆動機構９４における可変駆動源の配線１１９に結線された配線コネクタ１２０が接続される。集合端子板１１５と入賞球取込部９３との間には、図６に示す始動入賞部品２４の球出口部８４から下方に排出された球を、図８に示す集合樋１２５の内部に誘導する一対の中継樋片１２１が設けられる。中継樋片１２１は、入賞球取込部９３の裏面から裏側に突出する。一対の中継樋片１２１の左右に相対峙する隙間が、集合端子板１１５で塞がれることによって、上下方向に貫通する中継球通路１２２となる。
【００２７】
図８を参照し、板状構造体４の裏側の構造について説明する。一般入賞部品２２と作動入賞部品２３と始動入賞部品２４と可変入賞部品２５とが、板状構造体４の前面に取り付けられることによって、一般入賞球検出器５０と作動入賞球検出器６７と始動入賞球検出器８５と特別入賞球検出器１０３および普通入賞球検出器１０６が、板状構造体４に設けられた電気部品となり、一般入賞球検出器５０の検出器コネクタ５２と作動入賞球検出器６７の検出器コネクタ６９と始動入賞球検出器８５の検出器コネクタ８７と特別入賞球検出器１０３の検出器コネクタ１０５および普通入賞球検出器１０６の検出器コネクタ１０８が、板状構造体４の図３に示す一般入賞逃部３８と作動入賞逃部３３と始動入賞逃部３６および可変入賞逃部３７に個別に配置される。集合樋１２５は、板状構造体４の裏面に図外のタッピングスクリューのような止ねじで取り付けられることによって、一般入賞部品２２、始動入賞部品２４、可変入賞部品２５、図２に示すアウト口１７から遊技盤１の裏側に排出された球を下方に誘導して排出する通路を、板状構造体４の裏面との間に形成するものであって、裏壁の中央部に、複数の窓１２６；１２７；１２８を備える。集合樋１２５が板状構造体４に取り付けられた場合、可変入賞部品２５の特別入賞球検出器１０３の検出器コネクタ１０５と普通入賞球検出器１０６の検出器コネクタ１０８および集合端子板１１５が、窓１２６から裏側に突出し、可変入賞部品２５の可変駆動機構９４が窓１２７と対向する。集合樋１２５の裏面には、端子基板１３０；１３１が設けられる。端子基板１３０は、複数のコネクタ１３２；１３３；１３４；１３５を端子基板１３０の裏面に実装した形態である。端子基板１３１は、複数のコネクタ１３６；１３７；１３８を端子基板１３１の裏面に実装した形態である。そして、一方の作動入賞球検出器６７の検出器コネクタ６９に接続された配線７１の配線コネクタ７３が、コネクタ１３６に接続される。一般入賞球検出器５０の検出器コネクタ５２に接続された配線５３の配線コネクタ５５が、コネクタ１３２；１３３；１３７；１３８に個別に接続される。
【００２８】
図９を参照し、周辺飾り構造体２の裏側の構造について説明する。周辺飾り構造体２は、板状構造体収納部１４０を備える。板状構造体収納部１４０は、周辺飾り構造体２の裏面から内部に窪む。板状構造体収納部１４０の周囲において、周辺飾り構造体２が、裏面から内部に窪む複数の肉抜き空間部１４１と、複数の肉抜き空間部１４１の相互を個別に囲むリブ１４２と、周辺飾り構造体２における丸形開口部６の一側部に近い位置に設けられたリブ１４３の裏面から内部に窪む複数の溝１４４とを備える。複数の肉抜き空間部１４１と複数の溝１４４とが、配線通路を形成する。
【００２９】
板状側取付部３４における一側縁に設けられた外側縦リブ１４５と、外側縦リブ１４５より内側で外側縦リブ１４５と対峙する内側縦リブ１４６とには、抗力体として形成される横リブ１４７が連接される。この抗力体としての横リブ１４７は、前記配線通路の溝１４４を持たない。板状構造体収納部１４０の裏面には、周辺飾り側取付部１４８が、板状構造体収納部１４０の四隅に位置し、板状構造体収納部１４０の裏面から裏側に突出する。周辺飾り側取付部１４８には、周辺飾り側取付部１４８の裏面から内部に窪む行き止まり孔としてのねじ取付孔１４９を備える。周辺飾り側取付部１４８は、板状構造体収納部１４０に、図８に示す板状構造体４が収納された場合、板状構造体４の貫通孔なる板状側取付部３４に嵌め込まれる。このように周辺飾り側取付部１４８が板状側取付部３４に嵌め込まれた場合、周辺飾り側取付部１４８の裏面は、板状構造体４の裏面から裏側に突出せず、板状側取付部３４の内部に配置される。周辺飾り側取付部１４８と板状側取付部３４とが、互いに、嵌め合わされるこによって、周辺飾り構造体２と板状構造体４とが、互いに、位置合わせされるので、周辺飾り構造体２と板状構造体４との組立が正確となる。
【００３０】
図８に示す板状構造体４が図９に示す周辺飾り構造体２の板状構造体収納部１４０に収納され、周辺飾り側取付部１４８が板状側取付部３４に嵌め込まれた後、タッピングスクリューのようなと止ねじ１５０が、板状構造体４の裏側から板状側取付部３４を経由して周辺飾り側取付部１４８のねじ取付孔１４９に締結されることによって、遊技盤１が図１に示す形態に構成される。図１において、止ねじ１５０は、頭部に、板状側取付部３４よりも外径の大きな座金１５１を備えた座付止ねじを使用したが、止ねじ１５０と別に形成された座金１５１に相当する座金を使用してもよい。
【００３１】
図１を参照し、遊技盤１の配線作業について説明する。図８に示す板状構造体４が図９に示す周辺飾り構造体２に取り付けられた場合、板状構造体４の裏側から見た右側部から裏側に引き出された配線７１（図２の左側の作動入賞球検出器６７の配線７１）が、遊技盤１の裏側から、複数の肉抜き空間部１４１と複数の溝１４４とから構成された配線通路に、挿入される。この配線通路に挿入された配線７１は、周辺飾り構造体２の裏面から裏側に突出することなく、複数の肉抜き空間部１４１と複数の溝１４４とに取込まれる。また、当該配線７１の配線コネクタ７３が、板状構造体４の裏側から見た右側の配線５３と集合樋１２５の裏面との間を通って、コネクタ１３４に接続される。また、板状構造体４の裏側から見た左側部から裏側に引き出された配線７１（図２の右側の作動入賞球検出器６７の配線７１）が、遊技盤１の裏側から、周辺飾り構造体２の板状構造体収納部１４０を囲むリブ１４２との間の配線通路としての隙間１５２に、挿入される。この配線通路に挿入された配線７１は、周辺飾り構造体２の裏面から裏側に突出することなく、隙間１５２に取込まれる。
【００３２】
実施形態の構造によれば、図１に示すように、遊技盤１が、非遊技領域を形成する遮光性の有る合成樹脂からなる周辺飾り構造体２と、遊技領域３を形成する光透過性の有る合成樹脂からなる板状構造体４とを組み合わせた状態において、板状構造体４に設けられた電気部品としての作動入賞球検出器６７の裏側に接続された配線７１が、複数の肉抜き空間部１４１と複数の溝１４４とからなる配線通路に挿入されているので、配線７１が遊技盤の前側から見えることなく、作動入賞球検出器６７の配線処理が容易であるという利点がある。しかも、配線通路を構成する複数の肉抜き空間部１４１と複数の溝１４４とが、周辺飾り構造体２の裏面から内部に窪む格好で、周辺飾り構造体２の裏面に開口しているので、配線７１を周辺飾り構造体２の裏面から配線通路に挿入する作業を、一層、容易に行うことができるという利点がある。周辺飾り構造体２が、丸形開口部６の周囲に、複数の肉抜き空間部１４１と、これらの肉抜き空間部１４１の相互を個別に囲む複数のリブ１４２とを備えた構造であるので、周辺飾り構造体２の軽量と剛性との両立を図ることができるという利点がある。周辺飾り構造体２が、抗力体として形成される配線通路の溝を持たない横リブ１４７を備えているので、遊技盤１が図１０に示す遊技機枠１７１に取り付けられる場合に、横リブ１４７が抗力体として作用し、遊技盤１を遊技機枠１７１に取り付ける際の剛性が高くなるという利点がある。この遊技盤１を遊技機枠１７１に取り付ける際の剛性が高くなる点について、図１０を用いて説明する。
【００３３】
図１０および図１１を参照し、遊技盤１を用いたパチンコ機について説明する。映写装置１６０が、遮光性合成樹脂からなる前側に開放した箱形の装置筐体１６１に、投影機１６２、反射鏡１６３、スクリーン１６４を組み付けた、ユニットと呼ばれる単一集合構造体として形成される。この映写装置１６０のスクリーン１６４が遊技機枠１７１における可動枠１７２の裏側からの中央開口部１７３に収納され、スクリーン１６４の前面が遊技機枠１７１における遊技主体収納室１７４の裏壁の前面と同一面内に位置される。そして、映写装置１６０が遊技機枠１７１における遊技主体収納構造体１７５の裏壁の裏面に取り付けられることによって、映写装置１６０が可動枠１７２に取り付けられる。また、遊技盤１の遊技領域３が前側に向けられ、遊技盤１が遊技機枠１７１の前側から遊技主体収納室１７４に挿入され、遊技盤１の下部が遊技機枠１７１における遊技主体棚１７６の上に載せられ、遊技盤１の左側部における抗力体たる横リブ１４７が遊技機枠１７１の遊技主体受部１７７および遊技主体押圧部１７８で前後方向から挟まれた後、遊技盤１の右側部が後側に押され、遊技機枠１７１における遊技主体ロック部材１７９のロック操作体１８０が遊技盤１の盤側取付部５のロック挿入孔１６に後側から挿入されて前側に突出した状態において、作業者がロック操作体１８０を例えば右方向に９０度回転操作すると、ロック操作体１８０がロック挿入孔１６の周りにおける盤側取付部５と係合し、遊技盤１が可動枠１７２に取り付けられる。遊技盤１が取り付けられた後、可動枠１７２が閉じられるとともに、遊技機枠１７１における前面の球皿構造体１８１が閉じられる。図１に示す複数の肉抜き空間部１４１と複数の溝１４４とからなる配線通路に取り込まれた配線７１は、上記遊技主体押圧部１７８と干渉しない位置に配置されているので、配線７１が遊技主体押圧部１７８から損傷を受けることのないように保護される。図１に示す隙間１５２により構成された配線通路に取り込まれた配線７１は、遊技主体収納室１７４を構成する遊技主体収納構造体１７５から損傷を受けることのないように保護される。
【００３４】
その状態において、球が球皿構造体１８１の球収納部１８２に入れられた状態において、遊技者が遊技機枠１７１の前面の発射操作機構１８３を操作すると、遊技機枠１７１の発射機構１８４が球収納部１８２から供給された球を１個ずつ発射操作機構１８３の操作量に応じた発射力で遊技盤１の遊技領域３に発射する。遊技領域３に発射された球は、センター飾り２１や遊技釘２６または風車２９で流れを変えられるとともに、一般入賞部品２２と作動入賞部品２３および始動入賞部品２４のいずれかに入賞する。また、始動入賞部品２４への入賞の結果として可変入賞部品２５の開閉体２８が開閉し、この開閉体２８の開放中において、遊技領域３から球が可変入賞部品２５に入賞する。これらの入賞の結果として、遊技機枠１７１の払出機構１８５が遊技機枠１７１の裏側から遊技機枠１７１の前側の球収納部１８２に賞球としての球を払い出す。
【００３５】
図１１を参照し、遊技盤１および映写装置１６０が遊技機枠１７１に組み込まれたパチンコ機について説明する。投影機１６２の液晶表示器１８６が電気的に画像を表示し、投影機１６２のＬＥＤのような投影光源１８７が電気的に光を画像の表示されている液晶表示器１８６に照射し、その投影光Ｌが投影機１６２の投影レンズ１８８で拡大され、その拡大された投影光Ｌが反射鏡１６３で前側に反射してスクリーン１６４の全域に上記液晶表示器１８６で表示された画像を拡大して映写し、遊技機枠１７１の前側から遊技者がスクリーン１６４に映し出された画像を遊技機枠１７１の閉じられたパネル枠１８９の前面パネル１９０と遊技盤１の丸形開口部６および光透過性を有する合成樹脂からなる板状構造体４を通して見ることをできる。これによって、遊技者は、スクリーン１６４に映し出された画像を遊技領域３の全域に見ながら遊技領域３に行き交う球の動きを見ることができる。
【産業上の利用可能性】
【００３６】
電気部品は、表示灯、始動駆動源、可変駆動源などであってもよい。周辺飾り構造体２が重くなるものの、配線通路は、周辺飾り構造体２の複数の肉抜き空間部１４１と複数の溝１４４との存在しない板状部分に裏面から内部に窪む形態であってもよい。板状構造体４に画像を映し出す映写装置１６０を液晶表示器のような電気的に表示形態の変えられる画像を表示画面に表示する画像表示器で置換してもよい。
【図面の簡単な説明】
【００３７】
【図１】遊技盤を裏側から示す斜視図（一実施形態）。
【図２】遊技盤を前側から示す分解斜視図（同実施形態）。
【図３】板状構造体を裏側から示す斜視図（同実施形態）。
【図４】一般入賞部品を裏側から示す斜視図（同実施形態）。
【図５】作動入賞部品を裏側から示す斜視図（同実施形態）。
【図６】始動入賞部品を裏側から示す斜視図（同実施形態）。
【図７】可変入賞部品を裏側から示す斜視図（同実施形態）。
【図８】部品の取り付けられた板状構造体を裏側から示す斜視図（同実施形態）。
【図９】周辺飾り構造体を裏側から示す斜視図（同実施形態）。
【図１０】パチンコ機を前側から示す分解斜視図（同実施形態）。
【図１１】遊技盤と映写装置と遊技機枠との関係を示す模式図（同実施形態）。
【符号の説明】
【００３８】
１  遊技盤
２  周辺飾り構造体
４  板状構造体
５０  一般入賞球検出器
６７  作動入賞球検出器
７１  配線
８５  始動入賞球検出器
１０３  特別入賞球検出器
１０６  普通入賞球検出器
１４１  肉抜き空間部
１４４  溝
【図１】
2005198955.tif 000003
【図２】
2005198955.tif 000004
【図３】
2005198955.tif 000005
【図４】
2005198955.tif 000006
【図５】
2005198955.tif 000007
【図６】
2005198955.tif 000008
【図７】
2005198955.tif 000009
【図８】
2005198955.tif 000010
【図９】
2005198955.tif 000011
【図１０】
2005198955.tif 000012
【図１１】
2005198955.tif 000013